(57)【要約】【課題】自分で描いた絵等を持ち手部に装飾したオリジナルなマイ箸を手軽に製造する。【解決手段】台紙に箸素材を取付けると共に、作り方、お絵かき部を備えた説明書を一緒にした箸キットを販売する。お絵かき部に自身で絵を描いて箸工房に送り、箸工房において、お絵かき部をシール材にプリントして箸素材に貼り付け、透明塗料をコーティングして仕上げる。【選択図】図１
2011245005.tif 000002
【特許請求の範囲】
【請求項１】
持ち手部に絵、文字からなる装飾を施した箸の製造方法であって、
箸素材、箸見本又はその画像と共に、お絵かき部及び箸の作り方の説明書を添付した箸キットを販売する工程と、
上記箸キットを購入した側にて前記お絵かき部に自身で絵又は文字を描く工程と、
絵又は文字が描かれた前記お絵かき部を箸工房に送る工程と、
前記箸工房において、前記お絵かき部に描かれた絵又は文字を印刷して、前記箸素材又は箸見本若しくはその画像と同等な箸の持ち手部に貼り付け、その上に塗料をコーティングして箸に仕上げる工程と、
上記仕上げられた箸を前記購入者に送る工程と、を備える、
ことを特徴とする箸の製造方法。
【請求項２】
箸先部と、自身で描いた絵又は文字からなる装飾が施された持ち手部とを有し、
請求項１記載の前記各工程からなる製造方法にて製造されてなる、
ことを特徴とする箸。
【発明の詳細な説明】
【技術分野】
【０００１】
本発明は、箸の製造方法に係り、特に子供用箸に用いて好適であって、自分で描いた絵等を箸の持ち手部分に貼り付けた箸の製造方法、並びに該製造方法にて作成された箸に関する。
【背景技術】
【０００２】
一般に、箸等の日用品において、差別化の傾向があり、自分だけのものを作ることが好まれている。従来、箸袋にあっては、箸袋の幅ずつ糊付けして、１枚１枚を切り離さずに、連続した箸袋とし、全体でコピー用紙と同じような単票紙型にし、それを家庭のコピー機で好みのデザインを印刷した後、箸袋サイズに切り分けることが案出されている（先行特許文献１参照）。これにより、家庭における誕生日や結婚記念日等のイベント時には、独自にデザインした箸袋を用いることができる。
【０００３】
一方、箸については、森林保護及び安心、安全の観点からも、自分自身の箸であるマイ箸を持つことが好まれており、お絵かき、デザインを含めてマイ箸を自身で作成する教室も存在する。
【先行技術文献】
【特許文献】
【０００４】
【特許文献１】実用新案登録第３０４８９８４号公報
【発明の概要】
【発明が解決しようとする課題】
【０００５】
箸は、材料が木材、プラスチック等からなり、かつ立体構造からなるため、上記箸袋のように、コピー機で印刷して自宅で作成することはできず、また直接食べ物に触れるため、お絵かき用のペイント、インク等を用いて箸に直接絵等を描いてデザイン化し、自宅でマイ箸を作ることは困難である。
【０００６】
また、マイ箸教室は、場所、時間が限られ、かつ教える人も必要となって、高価な箸となってしまい、教室でマイ箸を作成できる人は限られてしまい、特に子供が自分で描いた絵をマイ箸にすることはできない。
【０００７】
そこで、本発明は、手軽に自分で描いた絵、デザインにより自分の箸（マイ箸）を作ることができる箸の製造方法並びにそれにより作られた箸を提供することを目的とするものである。
【課題を解決するための手段】
【０００８】
本発明は、持ち手部に絵、文字からなる装飾を施した箸の製造方法であって、
箸素材、箸見本又はその画像と共に、お絵かき部及び箸の作り方の説明書を添付した箸キットを販売する工程と、
上記箸キットを購入した側にて前記お絵かき部に自身で絵又は文字を描く工程と、
絵又は文字が描かれた前記お絵かき部を箸工房に送る工程と、
前記箸工房において、前記お絵かき部に描かれた絵又は文字を印刷して、前記箸素材又は箸見本若しくはその画像と同等な箸の持ち手部に貼り付け、その上に塗料をコーティングして箸に仕上げる工程と、
上記仕上げられた箸を前記購入者に送る工程と、を備える、ことを特徴とする。
【０００９】
また、箸先部と、自身で描いた絵又は文字からなる装飾が施された持ち手部と、を有し、上述した各工程からなる箸の製造方法にて製造された箸を特徴とする。
【発明の効果】
【００１０】
本箸の製造方法によると、自身で描いた絵又は文字を持ち手部に装飾したマイ箸を容易に製造することができ、かつ購入した箸キットに絵又は文字を描くだけでよく、子供でも容易にマイ箸を作ることができ、かつ箸工房で仕上げるので、安心、安全で耐久性のある信頼性の高い箸を作ることができ、多くの人に手軽にマイ箸を普及させることができる。
【００１１】
また、箸工房等の箸の製造側にあっては、箸キットを購入した人の情報を、キットの返送と共に直接得ることができ、箸の製造、販売に有利な情報として利用することができる。
【００１２】
本箸の製造方法にて製造されたマイ箸は、自身の絵又は文字が装飾された全くオリジナルなものであり、食事毎に誇りを持って楽しく使用することができ、特に子供にあっては、自身で作ったマイ箸を使用することにより、食事の大切さ、箸使いへの気付かい等の情操教育の効果も期待される。
【図面の簡単な説明】
【００１３】
【図１】本発明に係る箸の製造方法を示すブロック図。
【図２】箸の販売用台紙及び箸を示す正面図。
【図３】箸の作り方を説明した図。
【図４】絵を描く部分を示す図。
【発明を実施するための形態】
【００１４】
以下、図面に沿って本発明による箸の製造方法について説明する。図１は、図２に示す箸の販売用台紙と一緒にまとめてあるマイ箸の作り方を説明した説明書であり、図３の説明書及び図４の絵を描く部分と一緒に１枚又は２枚の紙に書かれている。本実施の形態は、「こどもおはしキット」として子供用箸に適用しているが、子供用に限らず、大人用にも同様に適用可能である。
【００１５】
図２に示すように、厚紙からなる台紙１に箸素材２がゴムにより一体に取付けられて、デパート、スーパー、展示場等の箸販売店に並べられる。台紙１には、例えば「お絵かきこどもお箸キット」等の本マイ箸の内容を分かり易く表現したキャッチコピーが目立つように印刷されており、マイ箸の作り方等の内容の詳細、その他購入者の名前、住所、メールアドレス等の有効な情報を書込む欄等を印刷しておくと好ましい。
【００１６】
箸素材２は、購入者が大きさ、質感等を実感するためのものであって、原則該箸素材２が加工されて購入者に送られるが、該箸素材２は見本として同等なものを加工して送ってもよく、場合によっては、箸素材又は出来上がった状態の箸の一例を印刷して、箸素材の代わりにしてもよい。箸素材２は、箸先部２ａはそのまま用いられる状態からなり、持ち手部２ｂは白く塗装されて、お絵かきした絵、文字、デザインがイメージできるようになっている。
【００１７】
図１の１に示すように、上記「こどもおはしキット」をお店で購入した購買者は、図１の２に示すように、台紙２と一緒にまとめられている図１及び図３に示す説明書を読んで本キットにより箸の作り方を理解する。そして、図３の説明書に従って、子供（必ずしも子供でなくてもよいが）が、図４に示すお絵かき部分３に絵具（筆、ペン又は色鉛筆）を使って、好みの絵又は文字を描く。その際、絵を描く部分３は、箸の持ち手２ｂに貼り付けるために台形になっており、かつ描き易いように、実物の約２倍になっている。
【００１８】
図１の４に示すように、絵を描いた部分３を折り曲げないように、購入した台紙２を用いて箸素材２と共に封筒に入れて、箸工房（例えば出願人；マツ勘）に郵送する。なお、送り先である箸工房は、必ずしも箸を製造する工場でなくてもよく、それらを取りまとめる卸売商、産地問屋、小売店であってもよい。
【００１９】
図１の５に示すように、箸工房において、購入者から送られて来た絵部分３をコピー機によりシール材に約１／２に縮小して印刷する。該絵を印刷されたシール材を、同じく送られた箸素材２の持ち手部２ｂに貼り付ける。この際、図３の３に示すように、シール材は、側端Ａ，Ｅが箸素材２の角部で突き合わせるように貼合せ、でき上りイメージ図に示すように、箸素材２の持ち手部２ｂの全周に過不足なくシール材が巻付けられる。そして、箸素材２の全外周面に透明な合成樹脂塗料がコーティングされ、その後乾燥されて仕上げられる。なお、シュリンクフィルムを覆って、加熱によりシュリンクさせる等の他の仕上げ方法によってもよく、要は、シール材部分が、食器衛生上安全な物質により完全に覆われ、かつシール材が剥されないように箸全体が仕上げられる。
【００２０】
図１の６に示すように、箸工房において自身が描いた絵等が持ち手部２ｂに装飾されて仕上げられたマイ箸は、箸工房から購入者に郵送される。図１の７に示すように、手元に届いたマイ箸は、毎日の食卓で、弁当用として、またピクニック等で用いられ、使用者は、自身で作ったオリジナルのマイ箸を使って食事することができる。
【００２１】
なお、上記説明では、販売店で台紙に取付けた箸素材、見本又は見本となる印刷物を展示して本箸キットを販売したが、これに限らず、例えばインターネット上に本箸キット（この場合、箸は見本となる画像となる）を掲載して販売したり、またカタログに掲載して通信販売、その他テレビショップ等により販売することも可能である。また、購入者自身が描いた絵、文字等は、郵送に限らず、カラーで読み込んだデータ又は写真を添付してメールで送ることも可能である。
【符号の説明】
【００２２】
１        台紙
２        箸素材
２ａ      箸先部
２ｂ      持ち手部
３        お絵かき部
【図１】
2011245005.tif 000003
【図２】
2011245005.tif 000004
【図３】
2011245005.tif 000005
【図４】
2011245005.tif 000006